(57)【要約】【課題】ＬＥＤを光源とする照明器具にＡＣ／ＤＣコンバータを内蔵する必要性を無くすことができる引掛接続器を提供することにある。【解決手段】引掛接続器Ａは、商用電源ＡＣに切替スイッチ２のスイッチ部２１，２２の常開接点ＮＯ側を介して電源入力端が接続され、商用電源ＡＣを所定電圧の直流に変換して出力するＡＣ／ＤＣコンバータ３と、商用電源ＡＣに切替スイッチ２の常閉側接点ＮＣを介して接続された商用電源供給路４とを備え、ＡＣ／ＤＣコンバータ３の直流出力端と商用電源供給路４の終端とを導電性接触片５，５に並列的に接続した電源供給部６を設けてあり、電源供給部６の出力端である導電性接触片５，５を通じて供給する電源を切替スイッチ２により選択できるようになっている。【選択図】図１
2006236717.tif 000002
【特許請求の範囲】
【請求項１】
商用電源を所定電圧の直流に変換するＡＣ／ＤＣコンバータをボディ内に備え、
前記ボディの底面には照明器具側の接続具に設けた導電性引掛栓刃を引掛係止する引掛差し込み孔を開口するとともに、前記引掛差し込み孔に対応して前記ボディ内に前記導電性引掛栓刃に接触する導電性接触片を設け、該導電性接触片を前記ＡＣ／ＤＣコンバータの出力端としていることを特徴とする引掛接続器。
【請求項２】
商用電源を所定電圧の直流に変換するＡＣ／ＤＣコンバータを有し、該ＡＣ／ＤＣコンバータの直流出力と、前記商用電源とを選択的に出力する電源供給部をボディ内に備え、
前記ボディの底面には照明器具側の接続具に設けた導電性引掛栓刃を引掛係止する引掛差し込み孔を開口するとともに、前記引掛差し込み孔に対応して前記ボディ内に前記導電性引掛栓刃に接触する導電性接触片を設け、該導電性接触片を前記電源供給部の出力端としていることを特徴とする引掛接続器。
【請求項３】
前記電源供給部の供給電源として、前記商用電源と前記ＡＣ／ＤＣコンバータの直流出力とを切り替え選択する切替スイッチを備えていることを特徴とする請求項２記載の引掛接続器。
【請求項４】
前記切替スイッチは前記商用電源を電源とする照明器具、直流を電源とする照明器具の何れか一方の接続具のみに対応し、該接続具の導電性引掛栓刃を引掛差し込み孔に挿入した状態で前記接続具により駆動されるスイッチであって、前記接続具による駆動の有無により電源供給部の供給電源を照明器具に応じて切替えることを特徴とする請求項３記載の引掛接続器。
【請求項５】
前記電源供給部は、前記商用電源と前記ＡＣ／ＤＣコンバータの直流出力とを各別に選択的に出力する出力端を備え、各出力端に対応して設けた導電性接触片に対して、前記ボディの底部には各導電性接触片に対応する引掛差し込み孔を設けていることを特徴とする請求項２乃至４の何れか記載の引掛接続器。
【発明の詳細な説明】
【技術分野】
【０００１】
本発明、照明器具に電源供給する引掛接続器に関するものである。
【背景技術】
【０００２】
照明器具の電源コードに設けた引掛キャップのような引掛用の接続具を接続するものとして引掛シーリングや引掛ローゼットのような引掛接続器（例えば特許文献１）が広く使用されており、電源供給手段以外に照明器具の取り付けの簡便化を図る取り付け手段として引掛接続器が広く使用されている。
【特許文献１】特開平１１−２１３７４４号公報（段落番号００１４，添付図の図１）
【発明の開示】
【発明が解決しようとする課題】
【０００３】
ところで、照明器具には、光源として蛍光灯や、白熱球を用いる管球式の照明器具以外にＬＥＤを光源とする照明器具も提供されているが、このＬＥＤを光源とする照明器具は電源としては直流を使用するため、器具毎にＡＣ／ＤＣコンバータを備えて所定の直流電源を得るようになっている。そのため照明器具の交換等の場合にはＡＣ／ＤＣコンバータも取り替えることになり、交換時のコストが高くなるという課題があった。つまりユーザー側から見れば器具の交換時に、ＡＣ／ＤＣコンバータは取り替えず、光源部分を主体とする照明器具のみの交換ができることが希求されていた。
【０００４】
本発明は、上述の課題に鑑みて為されたもので、その目的とするところは、ＬＥＤを光源とする照明器具にＡＣ／ＤＣコンバータを内蔵する必要性を無くすことができる引掛接続器を提供することにある。
【課題を解決するための手段】
【０００５】
上述の目的を達成するために、請求項１の発明では、商用電源を所定電圧の直流に変換するＡＣ／ＤＣコンバータをボディ内に備え、前記ボディの底面には照明器具側の接続具に設けた導電性引掛栓刃を引掛係止する引掛差し込み孔を開口するとともに、前記引掛差し込み孔に対応して前記ボディ内に前記導電性引掛栓刃に接触する導電性接触片を設け、該導電性接触片を前記ＡＣ／ＤＣコンバータの出力端としていることを特徴とする。
【０００６】
請求項１の発明によれば、ＬＥＤを光源とし、ＡＣ／ＤＣコンバータをＡＣ／ＤＣコンバータを有さないＬＥＤを光源とする照明器具に電源供給が可能であり、そのためＬＥＤを光源とする照明器具にＡＣ／ＤＣコンバータを備える必要が無くなり、結果器具交換時にＡＣ／ＤＣコンバータが無駄になることもなく、そのためユーザーにとって器具交換のコストが安価になる。
【０００７】
請求項２の発明では、商用電源を所定電圧の直流に変換するＡＣ／ＤＣコンバータを有し、該ＡＣ／ＤＣコンバータの直流出力と、前記商用電源とを選択的に出力する電源供給部をボディ内に備え、前記ボディの底面には照明器具側の接続具に設けた導電性引掛栓刃を引掛係止する引掛差し込み孔を開口するとともに、前記引掛差し込み孔に対応して前記ボディ内に前記導電性引掛栓刃に接触する導電性接触片を設け、該導電性接触片を前記電源供給部の出力端としていることを特徴とする。
【０００８】
請求項２の発明によれば、商用電源を電源とする管球式等の照明器具は勿論のこと、ＡＣ／ＤＣコンバータを有さないＬＥＤを光源とする照明器具にも電源供給が可能であり、そのため接続対象器具を選ばず、しかもＬＥＤを光源とする照明器具にＡＣ／ＤＣコンバータを備える必要が無くなり、結果器具交換時にＡＣ／ＤＣコンバータが無駄になることもなく、そのためユーザーにとって器具交換のコストが安価になる。
【０００９】
請求項３の発明では、請求項２の発明において、前記電源供給部からの供給電源として、前記商用電源と前記ＡＣ／ＤＣコンバータの直流出力とを切り替え選択する切替スイッチを備えていることを特徴とする。
【００１０】
請求項３の発明によれば、接続対象の照明器具に応じて切替スイッチを操作するだけで電源を選択することができる。
【００１１】
請求項４の発明では、請求３の発明において、前記切替スイッチは前記商用電源を電源とする照明器具、直流を電源とする照明器具の何れか一方の接続具のみに対応し、該接続具の導電性引掛栓刃を引掛差し込み孔に挿入した状態で前記接続具により駆動されるスイッチであって、前記接続具による駆動の有無により電源供給部からの供給電源を照明器具に応じて切替えることを特徴とする。
【００１２】
請求項４の発明によれば、切替スイッチの駆動を照明器具の接続具によって自動的に行うことができるため、ユーザーが切替スイッチを切り替え操作する面倒や、切り替え忘れによるトラブル発生を無くすことができる。
【００１３】
請求項５の発明では、請求項２乃至４の何れかの発明において、前記電源供給部は、前記商用電源と前記ＡＣ／ＤＣコンバータの直流出力とを各別に選択的に出力する出力端を備え、各出力端に対応して設けた導電性接触片に対して、前記ボディの底部には各導電性接触片に対応する引掛差し込み孔を設けていることを特徴とする。
【００１４】
請求項５の発明によれば、ＡＣ／ＤＣコンバータを備えず、ＬＥＤを光源とするとともに管球を光源とするようなハイブリッド型の照明器具にも適用できる。
【発明の効果】
【００１５】
本発明は、ＬＥＤを光源とし、ＡＣ／ＤＣコンバータをＡＣ／ＤＣコンバータを有さないＬＥＤを光源とする照明器具に電源供給が可能であり、そのためＬＥＤを光源とする照明器具にＡＣ／ＤＣコンバータを備える必要が無くなり、結果器具交換時にＡＣ／ＤＣコンバータが無駄になることもなく、そのためユーザーにとって器具交換のコストが安価になるという効果がある。
【発明を実施するための最良の形態】
【００１６】
以下本発明を実施形態により説明する。
（実施形態１）
本実施形態の引掛接続器Ａは、特許文献１に開示されている天井直付照明器具に対応した引掛接続器に適用したものであって、図１（ａ）に示す上面側が開口している箱状のボディ１の内部には図１（ｂ）に示すように外部からの商用電源ＡＣに切替スイッチ２のスイッチ部２１，２２の常開接点ＮＯ側を介して電源入力端が接続され、商用電源ＡＣを所定電圧の直流に変換して出力するＡＣ／ＤＣコンバータ３と、商用電源ＡＣに切替スイッチ２の常閉側接点ＮＣ側を介して接続された商用電源供給路４とを備え、ＡＣ／ＤＣコンバータ３の直流出力端と商用電源供給路４の終端とを導電性接触片５，５に並列的に接続した電源供給部６を設けてあり、電源供給部６の出力端である導電性接触片５，５から供給する電源を切替スイッチ２により選択できるようになっている。
【００１７】
つまり切替スイッチ２のスイッチ部２１，２２を常閉接点ＮＣ側に接続している状態では商用電源ＡＣが商用電源供給路４を介して供給され、常開接点ＮＯ側に接続している状態ではＡＣ／ＤＣコンバータ３によって商用電源ＡＣから変換された直流電源が供給される。
【００１８】
ここで切替スイッチ２には押釦スイッチが用いられ、ボディ１の内底に配置してその駆動体である押釦７の頭部をボディ１の底部中央の孔８から外部に覗かせ、この押釦７が外部から押し込まれて駆動されたときに各スイッチ部２１，２１を常閉接点ＮＣ側から常開接点ＮＯ側に切り替えるようになっている。
【００１９】
ボディ１は底面に同一円周上で円の中心点に対して点対称的に形成した一対の円弧状の引掛差し込み孔９，９を開口し、またこの引掛差し込み孔９，９に対応するように内底部に上記の導電性接触片５，５を配設してある。引掛差し込み孔９，９のピッチは既存の引掛シーリングや引掛ローゼットの規格に対応しているものとする。
【００２０】
またボディ１は両側に外向けにばね付勢して摺動自在に可動係合体１０，１０を装着しており、この可動係合体１０，１０によって、照明器具取り付け手段を構成している。
【００２１】
而して本実施形態の引掛接続器Ａを天井に施工設置する場合にはボディ１の底部に開口した天井取り付け孔１１，１１を用いてねじ（図示せず）によりボディ１を天井に固定するとともに天井側に配線されている電源線（図示せず）を電源供給部６の電源端子６ａ、６ｂに接続する。これによって施工が完了する。
【００２２】
そして照明器具を取り付ける場合は、図２に示すように照明器具本体１２の取り付け孔１３内に可動係合体１０，１０をばね付勢に抗してディ１方向に移動させながらボディ１とともに押し込み、可動係合体１０の側周面に設けた係合溝１４に取り付け孔１３の開口縁を係止するのである。これにより照明器具本体１２が引掛接続器Ａに機械的に取り付けられることになる。この後照明器具側の電源コード１７に接続されている接続具たる引掛キャップ１５の引掛栓刃１６，１６（図３（ａ），（ｂ）参照）を差し込む引掛差し込み孔９，９に挿入した後引掛キャップ１５を図３で示す矢印方向に回転させ、引掛栓刃１６，１６を引掛差し込み孔９，９に引掛係止する。これにより引掛栓刃１６，１６がボディ１内の導電性接触ばね５，５に電気的に接続され、引掛キャップ１５と引掛接続器Ａとの接続が完了する。尚照明器具を引掛接続器Ａから外す際には、可動係合体１０に設けた摘み１８を用いて可動係合体１０、１０をボディ１側に移動させればよい。また引掛キャップ１５の接続を外す場合には引掛キャップ１５を上述の回転方向とは逆方向に回転させて、引掛差し込み孔９，９に引掛係止されている引掛栓刃１６，１６が差し込み位置に戻し、この状態で引掛栓１６，１６を引掛差し込み孔９，９から抜けば良い。
【００２３】
さて引掛キャップ１５としては、照明器具が光源が管球などを利用して外部から商用電源ＡＣの供給を受ける照明器具用と、ＬＥＤを光源とするとともに、ＡＣ／ＤＣコンバータを備えず、直流電源の供給を外部から受ける照明器具用とがあり、前者の場合には図３（ａ）に示すようにキャップ本体１５ａの上面側に、切替スイッチ２の押釦７を駆動する手段を備えていないが、後者の場合には図３（ｂ）に示すようにキャップ本体１５ａの上面中央部に駆動突起１９を備えており、キャップ本体１５ａの上端面を引掛接続器Ａのボディ１の底部に押し付けたときに図２で示すように底部中央の孔８から駆動突起１９が押釦７の頭部を押し込みながら孔８内に没入され、切替スイッチ２を切替え駆動するようになっている。従って、商用電源ＡＣを電源として用いる照明器具の引掛キャップ１５（図３（ａ）参照）を引掛接続器Ａに接続する場合には切替スイッチ２の各スイッチ部２１，２２が常閉接点ＮＣ側のままであって、商用電源供給路４から商用電源ＡＣが照明器具側に供給される。一方ＬＥＤを光源とし、ＡＣ／ＤＣコンバータを備えていない照明器具の引掛キャップ１５（図３（ｂ））を引掛接続器Ａに接続する場合には、切替スイッチ２の各スイッチ部２１，２２が常開接点ＮＯ側に切り替わって商用電源ＡＣがＡＣ／ＤＣコンバータ３に接続され、これによりＡＣ／ＤＣコンバータ３から直流が出力して、この直流が電源として照明器具側に供給される。
【００２４】
以上のように本実施形態の引掛接続器Ａは、接続する引掛キャップ１５の種類によって自動的に照明器具側に供給する電源を商用電源ＡＣか、ＡＣ／ＤＣコンバータ３からの直流電源かに選択して照明器具に対応した電源を供給することができる。またＡＣ／ＤＣコンバータ３はＬＥＤを光源とする照明器具の引掛キャップ１５が接続されない状態では、商用電源ＡＣが電源入力端に接続されないため、無駄な電力消費が無く、また無負荷で動作したときに起きる異常な発熱も生じない。
【００２５】
尚切替スイッチ２をスライドスイッチ等のスイッチにより構成して、ユーザーが照明器具に合った電源が供給されるように手動により選択切替えするようにしても勿論良い。
【００２６】
（実施形態２）
上記実施形態１の引掛接続器Ａは、一対の引掛差し込み孔９，９を設け、商用電源ＡＣの供給を受ける照明器具の引掛キャップ１５と、ＬＥＤを光源とし、直流電源の供給を受ける照明器具の引掛キャップ１５とで共用するものであるが、管球を光源とするとともにＬＥＤを光源とし、ＬＥＤ側の電源として外部から直流電源の供給が必要なハイブリッド形の照明器具にも対応できるようにしたものが本実施形態である。
【００２７】
つまり、本実施形態の引掛接続器Ａは、図４に示すように既存の規格のピッチで設けられた引掛栓刃１６，１６を商用電源接続用の引掛栓刃とし、この引掛栓刃１６，１６のピッチに対して小さなピッチで直流電源接続用の引掛栓刃１６ａ，１６ａを設けて、両方の引掛栓刃１６，１６、１６ａ，１６ａで夫々に対応した電源を取り込むことが出来るようにした引掛キャップ１５に対応させたものである。
【００２８】
つまり本実施形態の引掛接続器Ａには図５（ａ）に示すように引掛栓刃１６，１６及び１６ａ，１６ａに対応した引掛差し込み孔９，９、９ａ，９ａを設け、ボディ１内の電源供給部６には図５（ｂ）に示すように引掛キャップ１５’が接続されたときに引掛キャップ１５’のキャップ本体１５ａの上面に形成した駆動突起２０で押釦２６が押し駆動される押釦スイッチからなるスイッチ２５を設けてある。
【００２９】
このスイッチ２５は押釦２６の頭部を引掛接続器のボディ１の底部の孔２７から切替スイッチ２の場合と同様に外部に覗かし、この押釦２６が引掛キャップ１５’の駆動突起２０で押し込まれたときに、オンして切替スイッチ３をバイパスする形で外部からの商用電源ＡＣをＡＣ／ＤＣコンバータ３の電源入力端に接続する第１のスイッチ部２５１ａ、２５１ｂと、ＡＣ／ＤＣコンバータ３の出力端に共通端子を接続し、常閉接点ＮＣを引掛差し込み孔９、９に対応する導電性接触片５、５側に接続し、常開接点ＮＯを引掛差し込み孔９ａ、９ａに対応する導電性接触片５ａ、５ａ側に接続し、第１のスイッチ部２５１ａ、２５１ｂのオン動作に連動して常閉接点ＮＣから常開接点ＮＯに切り替る第２のスイッチ部２５２ａ、２５２ｂを備えている。
【００３０】
而して、実施形態１と同様にＬＥＤを光源とし直流電源を取り込む照明器具の引掛キャップ１５ｂが接続される場合には、切替スイッチ２の切り替わり動作によってＡＣ／ＤＣコンバータ２が動作し、スイッチ２５の第２のスイッチ部２５２ａ、２５２ｂの常閉先点ＮＣと、引掛差し込み孔９、９の導電性接触片５，５を通じて引掛キャップ１５ｂの引掛栓刃１６，１６へ直流電源が供給されることになる。
【００３１】
また光源として管球等を用い商用電源を取り込む照明器具の引掛キャップ１５ａが接続される場合には切替スイッチ２が切り替らないため、商用電源ＡＣが商用電源供給路４を介して引掛差し込み孔７、７の導電性接触片５、５を通じて引掛キャップ１５ａの引掛栓刃１６，１６へ供給されることになる。
【００３２】
一方ハイブリット形の照明器具の引掛キャップ１５’が接続される場合には、切替スイッチ２の切り替わり動作は無いが、スイッチ２５が駆動されるため、スイッチ２５のスイッチ部２５１ａ，２５１ｂがオンして商用電源ＡＣがＡＣ／ＤＣコンバータ２の電源入力端に接続され、これによりＡＣ／ＤＣコンバータ２が動作することになる。同時に第２のスイッチ部２５２ａ、２５２ｂが常閉接点ＮＣ側から常開接点ＮＯ側に切り替わって、そＡＣ／ＤＣコンバータ２から第２のスイッチ部２５２ａ，２５２ｂと引掛差し込み孔９ａ，９ａの導電性接触片５ａ、５ａとを通じて引掛キャップ１５’の引掛栓刃１６ａ，，１６ａへ直流電源が供給される。同時に商用電源ＡＣが切替スイッチ２のスイッチ部２１，２２の各常閉接点ＮＣ側と、商用電源供給路４と、引掛差し込み孔９，９の導電性接触片５、５とを通じて引掛キャップ１５’の引掛栓刃１６，１６へ供給されることになる。
【００３３】
このように本実施形態では、ハイブリット形の照明器具にも対応でき、しかもＬＥＤを光源とし直流電源を取り込む照明器具の引掛キャップ１５ｂ又はハイブリット形の照明器具の引掛キャップ１５’を接続しない限り、ＡＣ／ＤＣコンバータ２が動作しないため、無駄な電力消費が無く、また無負荷時の動作による発熱を防げる。
【００３４】
尚商用電源ＡＣを商用電源供給路４を介して直接導電性接触片５，５に、またＡＣ／ＤＣコンバータ３の直流出力端を直接導電性接触片５ａ、５ａに接続し、ＡＣ／ＤＣコンバータ２の電源接続端への商用電源ＡＣの接続のオン／オフを外部から操作可能なスイッチで行うようにすればハイブリット形の照明器具と、商用電源ＡＣの供給を必要とする照明器具とに対応させた引掛接続器Ａとすることもできる。
（実施形態３）
実施形態１の引掛接続器Ａは商用電源ＡＣの供給が必要な照明器具と、ＬＥＤを光源とし、直流電源の供給が必要な照明器具の何れにも対応することができるようになっているが、本実施形態の引掛接続器ＡはＬＥＤを光源とし、直流電源の供給が必要な照明器具専用の引掛接続器であって、内部回路は図６（ｂ）に示すように外部からの商用電源ＡＣをＡＣ／ＤＣコンバータ３の電源入力端に押釦スイッチからなるスイッチ２’を介して接続し、ＡＣ／ＤＣコンバータ３の出力端を導電性接触片５，５に接続しているもので、スイッチ２’をボディ１の内底に配置してその駆動体である押釦７の頭部を図６（ａ）に示すようにボディ１の底部中央の孔８から外部に覗かせ、この押釦７が外部から押し込まれて駆動されたときにスイッチ部２０ａ，２０ｂをオンするようになっている。
【００３５】
ここでＬＥＤを光源とし、直流電源の供給が必要な照明器具の引掛キャップ１５には実施形態１の場合と同様に駆動突起１９を備えており、引掛キャップ１５を接続する際に実施形態１の場合と同様に駆動突起１９で押釦７を押し駆動するようになっている。
【００３６】
つまり本実施形態も直流電源の供給が必要な照明器具の引掛キャップ１５が接続されたときのみ内蔵するＡＣ／ＤＣコンバータ３を動作させ、非接続時の無駄な電力消費を不正でいる。
【００３７】
尚その他の構成要素中、図６中実施形態１の構成要素と同じものには同じ符号を付して説明は省略する。                                                               
【図面の簡単な説明】
【００３８】
【図１】実施形態１を示し、（ａ）は外観斜視図、（ｂ）は内部回路図である。
【図２】実施形態１の施工説明図である。
【図３】実施形態１の引掛接続器を示し、（ａ）は商用電源取り込み用の引掛接続器の斜視図、（ｂ）は直流電源取り込み用の引掛接続器の斜視図である。
【図４】実施形態２に対応するハイブリット形の照明器具に用いる引掛接続器の斜視図である。
【図５】実施形態２を示し、（ａ）は外観斜視図、（ｂ）は内部回路図である。
【図６】実施形態３を示し、（ａ）は外観斜視図、（ｂ）は内部回路図である。
【符号の説明】
【００３９】
Ａ  引掛接続器
１  ボディ
２  切替えスイッチ
２１，２２  スイッチ部
３  ＡＣ／ＤＣコンバータ
４  商用電源供給路
５  導電性接触片
６  電源供給部
６ａ  電源接続端子
７  押釦
８  孔
９  引掛差し込み孔
【図１】
2006236717.tif 000003
【図２】
2006236717.tif 000004
【図３】
2006236717.tif 000005
【図４】
2006236717.tif 000006
【図５】
2006236717.tif 000007
【図６】
2006236717.tif 000008